【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域を前面に備える遊技板と、
前記遊技領域に設けられ、流下する遊技球を受け止めて斜め横下方向に転動させる転動路と、を備える遊技機において、
前記転動路上の遊技球の移動空間を挟んで対向する１対の対向部材と、
前記１対の対向部材から前記移動空間へと突出して、前記転動路に沿って交互に並ぶ複数の強制蛇行突部と、を備える弾球遊技機。
【請求項２】
前側の前記対向部材の少なくとも一部が透明になっている請求項１に記載の弾球遊技機。
【請求項３】
下流側の前記強制蛇行突部同士の間隔が、上流側の前記強制蛇行突部同士の間隔より狭くなっている請求項１又は２に記載の弾球遊技機。
【請求項４】
前記転動路には、前記複数の強制蛇行突部により遊技球が蛇行する蛇行エリアの上流側に、前記強制蛇行突部を有さず、遊技球が直進する直進エリアが設けられている請求項１乃至３の何れか１の請求項に記載の弾球遊技機。
【請求項５】
通常は、前記転動路の一部を構成し、所定の条件が成立すると、移動して前記転動路の一部を遊技球が入賞可能な入賞口として開放する開閉部材を備える請求項１乃至４の何れか１の請求項に記載の弾球遊技機。
【請求項６】
前記複数の強制蛇行突部の少なくとも一部が、前記入賞口の上方に位置している請求項５に記載の弾球遊技機。
【手続補正２】
【補正対象書類名】明細書
【補正対象項目名】０００１
【補正方法】変更
【補正の内容】
【０００１】
本発明は、弾球遊技機に関する。
【手続補正３】
【補正対象書類名】明細書
【補正対象項目名】０００２
【補正方法】変更
【補正の内容】
【０００２】
従来、この種の弾球遊技機として、遊技球が転動可能な転動路を備えているものが知られている（例えば、特許文献１参照）。
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】変更
【補正の内容】
【０００５】
本発明は、遊技球の新たな転動態様を提供可能な弾球遊技機の提供を目的とする。
【手続補正６】
【補正対象書類名】明細書
【補正対象項目名】０００６
【補正方法】変更
【補正の内容】
【０００６】
上記目的を達成するためになされた請求項１の発明に係る弾球遊技機は、遊技球が流下可能な遊技領域を前面に備える遊技板と、前記遊技領域に設けられ、流下する遊技球を受け止めて斜め横下方向に転動させる転動路と、を備える遊技機において、前記転動路上の遊技球の移動空間を挟んで対向する１対の対向部材と、前記１対の対向部材から前記移動空間へと突出して、前記転動路に沿って交互に並ぶ複数の強制蛇行突部と、を備える弾球遊技機である。
【手続補正７】
【補正対象書類名】明細書
【補正対象項目名】０００７
【補正方法】変更
【補正の内容】
【０００７】
本発明の弾球遊技機によれば、遊技球の新たな転動態様を提供することが可能となる。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】変更
【補正の内容】
【０００９】
請求項２の発明は、前側の前記対向部材の少なくとも一部が透明になっている請求項１に記載の弾球遊技機である。
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】変更
【補正の内容】
【００１１】
請求項３の発明は、下流側の前記強制蛇行突部同士の間隔が、上流側の前記強制蛇行突部同士の間隔より狭くなっている請求項１又は２に記載の弾球遊技機である。
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】変更
【補正の内容】
【００１３】
請求項４の発明は、前記転動路には、前記複数の強制蛇行突部により遊技球が蛇行する蛇行エリアの上流側に、前記強制蛇行突部を有さず、遊技球が直進する直進エリアが設けられている請求項１乃至３の何れか１の請求項に記載の弾球遊技機である。
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】変更
【補正の内容】
【００１５】
請求項５の発明は、通常は、前記転動路の一部を構成し、所定の条件が成立すると、移動して前記転動路の一部を遊技球が入賞可能な入賞口として開放する開閉部材を備える請求項１乃至４の何れか１の請求項に記載の弾球遊技機である。
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】変更
【補正の内容】
【００１７】
請求項６の発明は、前記複数の強制蛇行突部の少なくとも一部が、前記入賞口の上方に位置している請求項５に記載の弾球遊技機である。
【手続補正１８】
【補正対象書類名】明細書
【補正対象項目名】００１８
【補正方法】削除
【補正の内容】
【手続補正１９】
【補正対象書類名】明細書
【補正対象項目名】００６０
【補正方法】変更
【補正の内容】
【００６０】
（７）上記実施形態では、サイド大入賞口１７は大当たり遊技中に開放する構成となっていたが、大当たり遊技中以外に開放する構成としてもよい。例えば、サイド大入賞口１７内に特典入賞領域と外れ入賞領域を設け、振分装置によって特典入賞領域或いは外れ入賞領域の何れかに遊技球が流下可能に構成し、少なくとも第２の始動入賞口１４Ｂへの入賞を起因に、大当たりとは別に小当たりが発生可能に構成し、大当たりした場合は大当たり遊技が実行されてメイン大入賞口１５が開閉し、小当たりした場合は小当たりを起因にしてサイド大入賞口１７を開放し、サイド大入賞口１７に入賞した遊技球が振分装置の振り分けタイミングによって特典入賞領域に入賞した場合に大当たり遊技が実行され、大当たり遊技中はメイン大入賞口１５が開閉する構成に適用してもよい。またその際の小当たりや大当たり等の確率は遊技性に応じて適宜設定すればよい。
＜付記＞
以下、上述した各実施形態から抽出される発明群の特徴について、必要に応じて効果等を示しつつ説明する。
以下の特徴Ａ群は、「遊技球が転動可能な転動路を備えた弾球遊技機」に関し、「従来、この種の弾球遊技機として、転動路に遊技球が転動して入賞し得る転動入賞口を設けて通常は開閉扉にて閉塞し、遊技が当りになると開閉扉が開かれるものが知られている（例えば、特許文献１（特開２０１２−２４９７０３号公報（段落［００３７］、図６））参照）。」という背景技術について、「遊技球を入賞し易くするために転動入賞口を大きくしたいという要請があるが、そうすると開閉扉も大きくなってスムーズな開閉動作が困難になるという問題が生じ得る。」という課題をもってなされ、「開閉扉の大型化を伴わずに転動入賞口を実質的に大きくすることが可能な弾球遊技機の提供」を目的としてなされたものである。
［特徴Ａ１］
遊技球が流下可能な遊技領域を前面に備えた遊技板と、
前記遊技板の前面から突出し、前記遊技領域を囲む包囲壁と、
前記遊技領域に設けられ、前記遊技領域を流下する遊技球を受け止めて横斜め下方へと転動させる転動路と、
前記転動路の少なくとも一部に開口し、遊技球が入球可能な転動入賞口と、
前記転動入賞口に設けられ、通常は、前記転動入賞口を閉状態にしてかつ上面が前記転動路の少なくとも一部を構成し、所定の条件が成立すると、前記転動入賞口を開状態にする開閉扉と、
前記遊技板の前面から突出し、前記転動路の上方の流下領域を流下する遊技球を複数の流下経路に振分ける複数の流路振分突部とを備えた弾球遊技機において、
前記転動入賞口の下端開口縁から前記転動路の上流側に水平に延ばした基準線を、前記下端開口縁を中心に上方に回動して複数の前記流路振分突部のうち前記基準線が最初に接する特別振分突部に接したときに、その基準線が、前記包囲壁か又は前記包囲壁に隣接する隣接部材かの何れかに交差する交点と前記下端開口縁とを結ぶ線分を入賞線分として、前記流下領域のうち前記入賞線分と前記転動路の上面との間の領域を、それ以外の領域よりも前記転動入賞口に入球し易い入賞容易領域とし、
その入賞容易領域が１つ以上の遊技球が進入可能な大きさになるように前記特別振分突部を配置し、
前記入賞線分を通過する以外に前記入賞容易領域内への進入経路を設けず、
前記入賞容易領域内に前記転動入賞口以外に遊技球が入球可能な入球部を有しないように構成され、
前記遊技板の前面より前側に突出する第１領域構成壁と前記包囲壁の一側部とに横方向で挟まれて上下方向に延び、少なくとも一部が前記転動路の上流側の上方に位置する第１流下領域と、前記遊技板の前面より前側に突出する第２領域構成壁と前記転動路とに上下方向で挟まれて横方向に延び、少なくとも一部が前記転動路の下流側の上方に位置する第２流下領域とから構成されるＬ字状流下領域であり、
前記転動入賞口は、前記第１流下領域と前記第２流下領域との境界部分より下流側に配置され、
前記特別振分突部は、前記第１流下領域と前記第２流下領域との境界部分の近傍に配置されていることを特徴とする弾球遊技機。
この特徴Ａ１を有する弾球遊技機では、転動入賞口の下端開口縁から転動路の上流側に水平に延ばした基準線を、下端開口縁を中心に上方に回動して複数の流路振分突部のうち基準線が最初に接する特別振分突部に接したときに、その基準線が、包囲壁か又は包囲壁に隣接する隣接部材かの何れかに交差する交点と下端開口縁とを結ぶ線分を入賞線分として、流下領域のうち入賞線分と転動路の上面との間を入賞容易領域とした。そして、入賞容易領域が１つ以上の遊技球が進入可能な大きさで、入賞線分を通過する以外に入賞容易領域内への進入経路はなく、さらに、入賞容易領域内に転動入賞口以外に遊技球が入球可能な入球部を有しないので、転動入賞口が開いているときに、入賞線分を通過して入賞容易領域に進入した遊技球は、転動路上を転動して転動入賞口に入賞するか転動入賞口に入賞することになる。即ち、入賞線分が実質的な転動入賞口をなし、実際の転動入賞口の全長が、それより長い入賞線分まで実質的に拡張されたことになる。つまり、本発明によれば、開閉扉の大型化を伴わずに転動入賞口を実質的に大きくすることが可能になる。
また、本特徴に示す構成によれば、Ｌ字状流下領域のうちＬ字の縦辺に相当する第１流下領域を流下して入賞容易領域に進入した遊技球は、比較的、高速で落下して転動路における中間位置より上流側部分に強く衝突するが、転動入賞口は、転動路の中間位置より下流側部分に配置されているので、遊技球が開閉扉に強く衝突することが防がれ、開閉扉の動作不良を抑制することが可能となる。
［特徴Ａ２］
前記特別振分突部は、前記第２流下領域内における前記第１流下領域側に配置されて、前記遊技板から前方に突出した支柱構造をなし、
前記第２領域構成壁の下面のうち前記第１領域構成壁の前記側面側の端部には、前記特別振分突部を中心として円弧状に湾曲した円弧部が設けられ、
前記円弧部と前記特別振分突部との間に遊技球１つ分の幅をなした円弧通路が形成されていることを特徴とする特徴Ａ１に記載の弾球遊技機。
この特徴Ａ２の発明により、特別振分突部の上側に遊技球１つ分の幅をなした円弧通路を備えたことで、特別振分突部の上側に入賞容易領域とは異なる通路を構成することが可能となる。
［特徴Ａ３］
前記円弧部の下端部の接線と前記転動路との交点より前記転動路の下流側に前記転動入賞口が配置されていることを特徴とする特徴Ａ２に記載の弾球遊技機。
この特徴Ａ３の構成によれば、特別振分突部の下方は入賞容易領域をなし、特別振分突部の上方の円弧通路を流下した遊技球は、円弧部に案内されて転動路のうち転動入賞口より上流側に落下する。即ち、本発明によれば、特別振分突部の上方と下方の何れを流下しても転動入賞口に容易に入賞させることが可能となる。
［特徴Ａ４］
前記遊技板には、役物取付孔が形成され、
前記特別振分突部は、前記役物取付孔の少なくとも一部を前面側から覆う孔閉塞板に、前記転動路及び前記転動入賞口を上面に有する入賞ブロックと共に一体的に備えられていることを特徴とする特徴Ａ１乃至Ａ３の何れか１の特徴に記載の弾球遊技機。
この特徴Ａ４の構成では、孔閉塞板に、転動路及び転動入賞口を上面に有する入賞ブロックと特別振分突部とが一体的に備えられているので、組み付け誤差による入賞線分のばらつきが抑えることが可能となる。
［特徴Ａ５］
前記転動路を挟んで前記孔閉塞板と対向しかつ少なくとも一部が透明になった前方対向板を備え、前記孔閉塞板と前記前方対向板との対向面の間で突出して、前記転動入賞口に向かって転動する遊技球を蛇行させるための複数の強制蛇行突部を備えたことを特徴とする特徴Ａ４に記載の弾球遊技機。
この特徴Ａ５の構成によれば、転動入賞口に向かう遊技球が蛇行して転動速度が抑えられ、転動入賞口への入賞の確実性を増加させることが可能となる。
［特徴Ａ６］
前記開閉扉は、前記遊技板の前後方向にスライドするスライド扉であることを特徴とする特徴Ａ１乃至Ａ５の何れか１の特徴に記載の弾球遊技機。
開閉扉は、転動路の幅方向の一端を中心に回動する回動扉であってもよいし、特徴Ａ５の構成のように、遊技板の前後方向にスライドするスライド扉であってもよい。